(57)【要約】【課題】通信可能最長距離の長い高感度なアンテナを構成する。【解決手段】磁性体コア１とコイル導体ＣＷとによってアンテナコイル２１が構成されている。アンテナコイル２１は平面導体２の所定の一辺Ｓ寄りに配置されている。コイル導体ＣＷのうち、磁性体コア１の第１主面ＭＳ１に近接する第１の導体部分１１と、磁性体コア１の第２主面ＭＳ２に近接する第２の導体部分１２は、磁性体コア１の第１主面ＭＳ１または第２主面ＭＳ２の法線方向から見て重ならないように配置されている。さらに、コイル導体ＣＷのコイル軸ＣＡは平面導体２の一辺Ｓに対して垂直である。【選択図】図２
2010252402.tif 000002
【特許請求の範囲】
【請求項１】
第１主面及び第２主面を有する板状の磁性体コアと、この磁性体コアに巻回されたコイル導体と、を備えたアンテナコイルが平面導体に近接配置されたアンテナにおいて、
前記磁性体コアの第１主面は前記平面導体に対面し、
前記アンテナコイルは前記平面導体の中心より所定の一辺寄りに配置され、
前記コイル導体のうち、前記磁性体コアの第１主面に近接する第１の導体部分と、前記磁性体コアの第２主面に近接する第２の導体部分とは、前記磁性体コアの第１主面または第２主面の法線方向から見て重ならない位置にあり、
前記コイル導体のコイル軸は前記平面導体の前記一辺に対して垂直である、アンテナ。
【請求項２】
前記コイル導体は、フレキシブル基板に形成された、ヘリカル状のコイルが所定の切り開き線で切り開かれた形状の導体パターンで構成され、前記フレキシブル基板が前記磁性体コアの四面に巻き付けられて、前記切り開き線部分で前記導体パターン同士が接合された、請求項１に記載のアンテナ。
【請求項３】
前記コイル導体は、スパイラル状であり、前記フレキシブル基板は前記磁性体コアの三面に巻き付けられた、請求項１に記載のアンテナ。
【請求項４】
前記コイル導体はスパイラル状であり、前記フレキシブル基板は前記コイル導体の形成位置の中心に貫通孔を備え、前記磁性体コアは前記貫通孔に挿入された、請求項１に記載のアンテナ。
【請求項５】
前記第１の導体部分と前記第２の導体部分との間をつなぐコイル導体の最も狭い部分の幅をＷ、前記平面導体の前記一辺に対して直角方向の前記磁性体コアの長さをＹとしたとき、Ｗ≧Ｙの関係に定めた、請求項１〜４のいずれかに記載のアンテナ。
【請求項６】
前記磁性体コアは磁束の出入りする端部が他の部分より太い、請求項１〜５のいずれかに記載のアンテナ。
【請求項７】
前記平面導体の前記一辺に近い側の前記アンテナの端部から前記平面導体の前記一辺までの距離をＸ、前記平面導体の前記一辺に対して直角方向の前記磁性体コアの長さをＹとしたとき、Ｙ＞Ｘの関係に定めた、請求項１〜６のいずれかに記載のアンテナ。
【請求項８】
前記平面導体は前記アンテナコイルが実装される回路基板である、請求項１〜７のいずれかに記載のアンテナ。
【発明の詳細な説明】
【技術分野】
【０００１】
この発明は、外部機器と電磁界信号を介して通信するＲＦＩＤ（Radio Frequency Identification）システム等に用いられるアンテナに関するものである。
【背景技術】
【０００２】
ＲＦＩＤシステムで用いられる携帯電子機器に搭載されるアンテナが特許文献１に開示されている。図１は特許文献１に記載されるアンテナ装置の構造を示す正面図である。
【０００３】
図１に示されるアンテナコイル３０は、フィルム３２ａ上の平面内で導体３１（３１ａ，３１ｂ，３１ｅ，３１ｄ）を渦巻き状に巻回して構成された空芯コイル３２と、その空芯コイル３２の平面とほぼ平行となるように空芯コイル３２に挿入された平板状の磁芯部材３３とを備えている。空芯コイル３２には孔３２ｄが設けられ、この孔３２ｄに磁芯部材３３が挿入されている。第１ターミナル３１ａと連結導体３１ｅとはスルーホール３２ｂで連結され、第２ターミナル３１ｂと連結導体３１ｅとはスルーホール３２ｃで連結されている。そして、この磁性体アンテナが導電板３４上に配置されている。
【先行技術文献】
【特許文献】
【０００４】
【特許文献１】特開２００２−３２５０１３号公報
【発明の概要】
【発明が解決しようとする課題】
【０００５】
図１に示した特許文献１の磁性体アンテナは、裏面が金属板であり、磁束は横方向（図１に示した状態では右から左方向）に抜け、それによってコイル導体に起電力が発生し、電流が流れる。
【０００６】
ところが、特許文献１の磁性体アンテナは、図１に示したとおり、背後の導電板３４に平行な磁束と結合させる構造である。そのため、導電板３４の中心付近にアンテナコイルを置くと、短い距離範囲でしか通信できず、使い勝手が悪いという問題がある。
【０００７】
そこで、この発明の目的は、通信可能最長距離を長くできるようにしたアンテナを提供することにある。
【課題を解決するための手段】
【０００８】
前記課題を解決するためにこの発明のアンテナは、コイル導体が形成されたフレキシブル基板と、第１主面及び第２主面を有する板状の磁性体コアと、を備えたアンテナコイルが平面導体に近接配置されたアンテナにおいて、
前記磁性体コアの第１主面は前記平面導体に対面し、
前記アンテナコイルは前記平面導体の中央より所定の一辺寄りに配置され、
前記コイル導体のうち、前記磁性体コアの第１主面に近接する第１の導体部分と、前記磁性体コアの第２主面に近接する第２の導体部分とは、前記磁性体コアの第１主面または第２主面の法線方向から見て重ならない位置にあり、
前記コイル導体のコイル軸は前記平面導体の前記一辺に対して垂直である。
【０００９】
また、前記コイル導体は、ヘリカル状のコイルを所定の切り開き線で切り開かれた形状であり、前記フレキシブル基板は前記磁性体コアの四面に巻き付けられて、前記切り開き線部分で前記コイル導体が接合されたものとする。
【００１０】
また、前記コイル導体は、スパイラル状であり、前記フレキシブル基板は前記磁性体コアの三面に巻き付けられたものとする。
また、前記コイル導体はスパイラル状であり、前記フレキシブル基板は前記コイル導体の形成位置の中心に貫通孔を備え、前記磁性体コアは前記貫通孔に挿入されたものとする。
また、前記第１の導体部分と前記第２の導体部分との間をつなぐコイル導体の最も狭い部分の幅をＷ、前記平面導体の前記一辺に対して直角方向の前記磁性体コアの長さをＹとしたとき、Ｗ≧Ｙの関係に定める。
【００１１】
また、前記磁性体コアは磁束の出入りする端部が他の部分より太いものとする。
また、前記平面導体の前記一辺に近い側の前記アンテナの端部から前記平面導体の前記一辺までの距離をＸ、前記平面導体の前記一辺に対して直角方向の前記アンテナコイルの長さをＹとしたとき、Ｙ＞Ｘの関係に定める。
また、前記平面導体は前記アンテナコイルが実装される回路基板である。
【発明の効果】
【００１２】
この発明によれば、通信可能最長距離の長い高感度なアンテナが得られる。
【図面の簡単な説明】
【００１３】
【図１】特許文献１に記載されるアンテナ装置の構造を示す正面図である。
【図２】第１の実施形態に係る磁性体アンテナ及びアンテナ装置の構成を示す図である。
【図３】図３（Ａ）はアンテナ１０１の磁束の分布及び指向性を表す図、図３（Ｂ）は、第１の実施形態に係るアンテナと対比するために示す従来構造のアンテナの磁束の分布及び指向性を示す図である。
【図４】第１の実施形態に係るアンテナ１０１を備えた携帯電話端末等の電子機器とＲＦＩＤ用のＩＣカードとの間で通信を行う状態を示す図である。
【図５】平面導体２とアンテナコイル２１との位置関係について示す図である。
【図６】図６（Ａ）は、平面導体２とアンテナコイル２１との位置関係について示す平面図である。図６（Ｂ）は、第１の実施形態に係るアンテナコイル２１と、従来構造のアンテナコイル２０について、距離Ｘと結合係数との関係を示す図である。
【図７】図７（Ａ）は第２の実施形態に係るアンテナコイル２２の組み立て前の状態を示す図、図７（Ｂ）はそのアンテナコイル２２の平面図である。
【図８】図８（Ａ）は第２の実施形態に係るアンテナコイル２２を備えたアンテナ１０２の下面図、図８（Ｂ）はその正面図である。図８（Ｃ）は、回路基板である平面導体２を収納する筐体２０２の内側にアンテナコイル２２を固定した例である。
【図９】図９（Ａ）は第３の実施形態に係るアンテナコイル２３の組み立て前の平面図、図９（Ｂ）はそのアンテナコイル２３の平面図である。
【図１０】図１０（Ａ）は第３の実施形態に係るアンテナコイル２３を備えたアンテナ１０３の下面図、図１０（Ｂ）はその正面図である。図１０（Ｃ）は、回路基板である平面導体２を収納する筐体２０３の内側にアンテナコイル２３を固定した例である。
【図１１】第１の導体部分１１と第２の導体部分１２との間をつなぐコイル導体の最も狭い部分の幅をＷ、平面導体の一辺に対して直角方向の磁性体コアの長さをＹとしたとき、ＷとＹとの積を一定にしてＷを変化させたときの、Ｗと結合係数との関係を示す図である。
【図１２】図１２（Ａ）は第４の実施形態に係るアンテナコイル２４Ａの組み立て前の平面図、図１２（Ｂ）はそのアンテナコイル２４Ａの平面図である。
【図１３】図１３（Ａ）は第４の実施形態に係る別のアンテナコイル２４Ｂの組み立て前の平面図、図１３（Ｂ）はそのアンテナコイル２４Ｂの平面図である。
【図１４】図１４（Ａ）は第４の実施形態に係る別のアンテナコイル２４Ｃの組み立て前の平面図、図１４（Ｂ）はそのアンテナコイル２４Ｃの平面図である。
【図１５】図１５（Ａ）は第５の実施形態に係るアンテナコイル２５の組み立て前の平面図、図１５（Ｂ）はそのアンテナコイル２５の上面図、図１５（Ｃ）はアンテナコイル２５の下面図である。
【図１６】図１６（Ａ）は第５の実施形態に係るアンテナコイル２５を備えたアンテナ１０４の下面図、図１６（Ｂ）はその正面図である。図１６（Ｃ）は、回路基板である平面導体２を収納する筐体２０４の内側にアンテナコイル２５を固定した例である。
【図１７】図１７（Ａ）は、第６の実施形態に係るアンテナコイル２６Ａの組み立て前の平面図、図１７（Ｂ）はそのアンテナコイル２６Ａの平面図である。
【図１８】図１８（Ａ）は、第６の実施形態に係る別のアンテナコイル２６Ｂの組み立て前の平面図、図１８（Ｂ）はそのアンテナコイル２６Ｂの平面図である。
【図１９】図１９（Ａ）は、第６の実施形態に係る別のアンテナコイル２６Ｃの組み立て前の平面図、図１９（Ｂ）はそのアンテナコイル２６Ｃの平面図である
【発明を実施するための形態】
【００１４】
《第１の実施形態》
図２は第１の実施形態に係るアンテナの構成を示す図である。
図２（Ａ）は、アンテナコイル２１と、それを実装する回路基板などの矩形板状の平面導体２とを備えるアンテナ１０１の斜視図である。図２（Ｂ）は、前記アンテナ１０１の正面図である。
【００１５】
磁性体コア１は矩形板形状のフェライトコアであり、図２における下面が第１主面ＭＳ１、上面が第２主面ＭＳ２である。この磁性体コア１には図２に示すようにコイル導体ＣＷが巻回されている。図中の符号１１で示す部分はコイル導体ＣＷのうち、磁性体コア１の第１主面ＭＳ１に近接する第１の導体部分である。また、図中符号１２で示す部分は磁性体コア１の第２主面ＭＳ２に近接する第２の導体部分である。前記磁性体コア１とコイル導体ＣＷとによってアンテナコイル２１が構成されている。
【００１６】
前記アンテナコイル２１は平面導体２の中心より所定の一辺（図２における右側の辺）Ｓ寄りに配置されている。また、第１の導体部分１１と第２の導体部分１２とは、磁性体コア１の第１主面ＭＳ１または第２主面ＭＳ２の法線方向から見て（透視して）重ならないように配置されている。そして、第２の導体部分１２は第１の導体部分１１に比べて平面導体２の中心より遠い位置関係にそれらが配置されている。さらに、コイル導体ＣＷのコイル軸ＣＡは平面導体２の前記一辺Ｓに対して垂直である。
【００１７】
図３（Ａ）は前記アンテナ１０１の磁束の分布及び指向性を表す図である。また図３（Ｂ）は、第１の実施形態に係るアンテナと対比するために示す従来構造のアンテナの磁束の分布及び指向性を示す図である。前記アンテナ１０１は、そのアンテナコイル２１が平面導体２よりリーダライタ側アンテナ３０１に近接する位置関係に配置される。この状態は、前記アンテナ１０１が内蔵された電子機器をリーダライタの読取部にかざす状態である。
【００１８】
前記コイル導体ＣＷのうち、第２の導体部分１２が第１の導体部分１１に比べて平面導体２の中心より外側に位置しているので、アンテナコイル２１の磁性体コアを通過する磁束Ｈのループの長軸は図に示すように平面導体２の面に対して傾く。すなわち、平面導体２の法線方向（Ｚ軸方向）の成分が強くなる。これに伴いアンテナ１０１の指向性ビームＤＢはリーダライタ側アンテナ３０１の中心方向を向くことになる。
【００１９】
一方、図３（Ｂ）に示すように、磁性体コアの第１主面と第２主面にそれぞれ近接する第１の導体部分と第２の導体部分が表裏面で重なる位置関係にある従来のアンテナコイル２０では、その磁性体コアを通過する磁束Ｈのループの長軸は平面導体２と平行となり、アンテナの指向性ビームＤＢは平面導体２の面に沿った方向に向く。そのため、リーダライタ側アンテナ３０１に対してアンテナ１００を平行に近接させると通信可能最長距離が短くなり、寧ろ、リーダライタ側アンテナ３０１に対してアンテナ１００を傾けて近接させる方が通信可能な最長距離が延びることになる。
【００２０】
これに対して、第１の実施形態によれば通信可能最長距離を長くでき、しかもアンテナ１０１の中心とリーダライタ側アンテナ３０１の中心とが一致した状態で通信可能最長距離が得られる。
【００２１】
次に、ＲＦＩＤ用のＩＣカードと前記アンテナ１０１を備えた携帯電話端末等の電子機器との間で通信を行う例について示す。
図４はＲＦＩＤ用のＩＣカードと前記アンテナ１０１を備えた携帯電話端末等の電子機器との配置関係を示す図である。平面導体２の端部にアンテナコイル２１が配置されることによって構成されたアンテナが電子機器の筐体２０１に収められている。図４（Ａ）は、その電子機器とＩＣカード４０１とを同じ縦方向にして近接させた状態、図４（Ｂ）は両者を直交状態に配置した状態である。ＩＣカード４０１の内部には、その外周に沿って複数ターンのアンテナコイルが形成されていて、アンテナコイル２１と磁気的に結合する。
【００２２】
このように、平面導体２の端部にアンテナコイル２１を配置したことにより、平面導体２とほぼ同一サイズのＩＣカードを近接させた時、ＩＣカード４０１のアンテナコイルとこの実施形態に係るアンテナのアンテナコイル２１とのコイル導体同士の距離が近接するので、アンテナ間の強い結合が得られる。
【００２３】
このように、例えば１００ｍｍ程度離れたリーダライタとの間での通信だけでなく、ＩＣカードとほぼ接した状態で通信を行う場合にも適応できる。
【００２４】
すなわち、本発明のアンテナは、平面導体の端部にアンテナコイルを配置した時にも良好な通信性能が得られるようなコイル導体の巻き方になっている。磁性体コアの周囲に単にコイル導体を巻回しただけの従来構造のアンテナコイルを用いたアンテナと比較して、通信に寄与する磁界強度が強く、高い通信性能（通信可能距離や通信データの誤り率等に関する性能）が得られる。
【００２５】
図５は平面導体２とアンテナコイル２１との位置関係について示す図である。ここで、平面導体２の一辺Ｓに近い側のアンテナコイル２１の端部から前記一辺Ｓまでの距離をＸ、平面導体２の一辺Ｓに対して直角方向のアンテナコイル２１の長さをＹとすると、
Ｙ＞Ｘ
の関係とする。
【００２６】
前記ＸとＹの関係について、図６を参照して接続する。
図６（Ａ）は、平面導体２とアンテナコイル２１との位置関係について示す平面図である。この例では、平面導体２は４２ｍｍ×９０ｍｍ、アンテナコイル２１は２０ｍｍ×１５ｍｍとしている。図６（Ｂ）は、第１の実施形態に係るアンテナコイル２１と、従来構造のアンテナコイルについて、前記距離Ｘと結合係数との関係を示す図である。ここで、比較例である従来構造のアンテナコイルは、磁性体コアの第１主面と第２主面にそれぞれ近接する第１の導体部分と第２の導体部分が表裏面で重なる位置関係にある。また、リーダライタのアンテナは１００×１００ｍｍとし、そのアンテナと３０ｍｍの距離で対向させた。
【００２７】
図６（Ｂ）に表れているように、Ｘ＜１５ｍｍのときに、アンテナコイル２１の結合係数が従来構造のアンテナコイルより大きくなっている。今、Ｙ＝１５ｍｍであるので、Ｙ＞Ｘの関係とすることによって、従来構造のアンテナコイルに比べて高い結合係数が得られることがわかる。
【００２８】
なお、図６（Ｂ）にも表れているように、前記寸法Ｘはマイナスの値であってもよい。すなわち図５（Ｂ）のように、アンテナコイル２１の端部が平面導体２の一辺Ｓより外側にあってもよい。
このような関係とすることにより、図３（Ａ）に示した指向性ビームＤＢの向きを立ち上げることができ、本発明の目的を達することができる。
【００２９】
《第２の実施形態》
図７（Ａ）は第２の実施形態に係るアンテナコイル２２の組み立て前の状態を示す図、図７（Ｂ）はそのアンテナコイル２２の平面図である。図７（Ａ）に示すように、フレキシブル基板１０にコイル導体ＣＷが形成されている。このコイル導体ＣＷは、ヘリカル状のコイルが所定の切り開き線で切り開かれた状態の導体パターンである。フレキシブル基板１０は磁性体コア１の四面に巻き付けられて、前記切り開き線部分でコイル導体ＣＷの端部同士が接合される。この例では、端部ａ−ａ′，ｂ−ｂ′，ｃ−ｃ′が半田等により接合される。これにより、図７（Ｂ）に示すアンテナコイル２２が構成される。
【００３０】
図７（Ｂ）に示す向きで、第２の導体部分１２は磁性体コア１の上面（第２主面）に近接し、第１の導体部分１１は磁性体コア１の下面（第１主面）に近接する。
【００３１】
図８（Ａ）は前記アンテナコイル２２を備えたアンテナ１０２の下面図、図８（Ｂ）はその正面図である。アンテナコイル２２は、回路基板である平面導体２の一辺の中央部に沿った位置に実装される。
【００３２】
図８（Ｃ）は、回路基板である平面導体２を収納する筐体２０２の内側にアンテナコイル２２を固定した例である。この場合でも、第２の導体部分１２が第１の導体部分１１に比べて平面導体２の中心より遠い位置に配置される。
このようにして第１の実施形態で述べたと同様の作用効果を奏する。
【００３３】
《第３の実施形態》
図９（Ａ）は第３の実施形態に係るアンテナコイル２３の組み立て前の平面図、図９（Ｂ）はそのアンテナコイル２３の平面図である。フレキシブル基板１０にはスパイラル状のコイル導体ＣＷが形成されていて、スパイラル状コイル導体の形成位置の中心に貫通孔Ａを備えている。磁性体コア１はフレキシブル基板１０の貫通孔Ａ部分に挿入されて、図９（Ｂ）に示されるアンテナコイル２３が構成される。
【００３４】
図１０（Ａ）は前記アンテナコイル２３を備えたアンテナ１０３の下面図、図１０（Ｂ）はその正面図である。アンテナコイル２３は、回路基板である平面導体２の一辺の中央部に沿った位置に実装される。
【００３５】
図１０（Ｃ）は、図１０（Ａ），図１０（Ｂ）の例とは異なり、回路基板である平面導体２を収納する筐体２０３の内側にアンテナコイル２３を固定した例である。この場合でも、第２の導体部分１２が第１の導体部分１１に比べて平面導体２の中心より遠い位置に配置される。
このようにして第１の実施形態で述べたと同様の作用効果を奏する。
【００３６】
図９（Ｂ）に示したように、第１の導体部分１１と第２の導体部分１２との間をつなぐコイル導体の最も狭い部分の幅をＷ、前記平面導体の前記一辺に対して直角方向の前記磁性体コアの長さをＹとしたとき、ＷとＹとの関係について、図１１を参照して説明する。
図１１は、ＷとＹとの積を１５×１５＝２２５ｍｍ2 で一定にし、Ｗを変化させたときの、Ｗと結合係数との関係を示す図である。この例では、リーダライタのアンテナは１００×１００ｍｍとし、そのアンテナと３０ｍｍの距離で対向させた。
【００３７】
Ｗ＜Ｙのとき（Ｗ＜１５ｍｍのとき）は、Ｗが小さくなるほど結合係数が小さくなり、通信性能が悪化する。したがって、Ｗ≧Ｙの関係とすることによって、良好な通信性能が確保できる。
《第４の実施形態》
図１２〜図１４は第４の実施形態に係るアンテナコイル２４Ａ，２４Ｂ，２４Ｃのそれぞれの構成を示す図である。図１２（Ａ）はアンテナコイル２４Ａの組み立て前の平面図、図１２（Ｂ）はそのアンテナコイル２４Ａの平面図である。図１３（Ａ）はアンテナコイル２４Ｂの組み立て前の平面図、図１３（Ｂ）はそのアンテナコイル２４Ｂの平面図である。同様に、図１４（Ａ）はアンテナコイル２４Ｃの組み立て前の平面図、図１４（Ｂ）はそのアンテナコイル２４Ｃの平面図である。
【００３８】
図９に示したアンテナコイル２３と異なるのは磁性体コア１の磁束の出入りする端部が他の部分より太く形成されていることである。図１２に示すアンテナコイル２４Ａでは磁性体コア１は、その一方の端部が全体に広く（太く）形成されている。図１３のアンテナコイル２４Ｂでは磁性体コア１の一方の端部が台形状に広がっている。図１４のアンテナコイル２４Ｃの例では、磁性体コア１は、その中央より両端部にかけて幅が広くなる形状である。
【００３９】
このような形状の磁性体コア１を用いることにより、磁性体コア１を通る磁束が大きくなり、通信相手のアンテナとの磁界結合を強めることができ、通信可能最長距離が長くなるなど、通信性能が向上する。
【００４０】
《第５の実施形態》
図１５（Ａ）は第５の実施形態に係るアンテナコイル２５の組み立て前の平面図、図１５（Ｂ）はそのアンテナコイル２５の上面図、図１５（Ｃ）はアンテナコイル２５の下面図である。フレキシブル基板１０には図中破線で示す位置を折り目として折り曲げられて磁性体コア１が挟み込まれる（三面に巻き付けられる）ようになるが、フレキシブル基板１０には、前記折り目からずれた位置を中心としてスパイラル状のコイル導体ＣＷが形成されている。そして、コイル導体ＣＷのうち、前記折り目から遠い側が第２の導体部分１２として用いられ、近い側が第１の導体部分１１として用いられる。
【００４１】
図１６（Ａ）は前記アンテナコイル２５を備えたアンテナ１０４の下面図、図１６（Ｂ）はその正面図である。アンテナコイル２５は、回路基板である平面導体２の一辺の中央部に沿った位置に実装される。
【００４２】
図１６（Ｃ）は図１６（Ａ），図１６（Ｂ）の例とは異なり、アンテナコイル２５を、回路基板である平面導体２を収納する筐体２０４の内側に固定した例である。この場合でも、第２の導体部分１２が第１の導体部分１１に比べて平面導体２の中心より遠い位置に配置される。
このようにして第１の実施形態で述べたと同様の作用効果を奏する。
【００４３】
《第６の実施形態》
図１７〜図１９は第６の実施形態に係るアンテナコイル２６Ａ，２６Ｂ，２６Ｃのそれぞれの構成を示す図である。図１７（Ａ）はアンテナコイル２６Ａの組み立て前の平面図、図１７（Ｂ）はそのアンテナコイル２６Ａの平面図である。図１８（Ａ）はアンテナコイル２６Ｂの組み立て前の平面図、図１８（Ｂ）はそのアンテナコイル２６Ｂの平面図である。同様に、図１９（Ａ）はアンテナコイル２６Ｃの組み立て前の平面図、図１９（Ｂ）はそのアンテナコイル２６Ｃの平面図である。
【００４４】
図１５に示したアンテナコイル２５と異なるのは磁性体コア１の磁束の出入りする端部が他の部分より太く形成されていることである。図１７に示すアンテナコイル２６Ａでは磁性体コア１は、その一方の端部が全体に広く（太く）形成されている。図１８のアンテナコイル２６Ｂでは磁性体コア１の一方の端部が台形状に広がっている。図１９のアンテナコイル２６Ｃの例では、磁性体コア１は、その中央より両端部にかけて幅が広くなる形状である。
【００４５】
このような形状の磁性体コア１を用いることにより、磁性体コア１を通る磁束が大きくなり、通信相手のアンテナとの磁界結合を強めることができ、通信可能最長距離が長くなるなど、通信性能が向上する。
【符号の説明】
【００４６】
Ａ…貫通孔
ＣＡ…コイル軸
ＣＷ…コイル導体
ＤＢ…指向性ビーム
Ｈ…磁束
ＭＳ１…第１主面
ＭＳ２…第２主面
Ｓ…一辺
１…磁性体コア
２…平面導体
１０…フレキシブル基板
１１…第１の導体部分
１２…第２の導体部分
２１〜２３…アンテナコイル
２４Ａ，２４Ｂ，２４Ｃ…アンテナコイル
２５…アンテナコイル
２６Ａ，２６Ｂ，２６Ｃ…アンテナコイル
１００〜１０４…アンテナ
２０１〜２０４…筐体
３０１…リーダライタ側アンテナ
４０１…ＩＣカード
【図１】
2010252402.tif 000003
【図２】
2010252402.tif 000004
【図３】
2010252402.tif 000005
【図４】
2010252402.tif 000006
【図５】
2010252402.tif 000007
【図６】
2010252402.tif 000008
【図７】
2010252402.tif 000009
【図８】
2010252402.tif 000010
【図９】
2010252402.tif 000011
【図１０】
2010252402.tif 000012
【図１１】
2010252402.tif 000013
【図１２】
2010252402.tif 000014
【図１３】
2010252402.tif 000015
【図１４】
2010252402.tif 000016
【図１５】
2010252402.tif 000017
【図１６】
2010252402.tif 000018
【図１７】
2010252402.tif 000019
【図１８】
2010252402.tif 000020
【図１９】
2010252402.tif 000021